【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
レンズを介して入射された光を受けて、複数の異なる分光成分のうちのいずれかを有する光信号を画素ごとに透過させ、撮像素子に照射させるカラーフィルタにおいて、
複数の異なる前記分光成分は、
複数の異なる前記分光成分のうち最も周波数の帯域幅が広い第１の分光成分と、
前記レンズにおいて色収差の発生しない周波数近傍の所定の周波数帯域に対応する第２の分光成分と、
前記第１の分光成分に第１の重み係数を乗算した値と、前記第２の係数に第２の重み係数を乗算した値との線形和により表される第３の分光成分と
を含んで構成されるカラーフィルタ。
【請求項２】
前記第１の分光成分は、少なくとも赤外成分を含む
請求項１に記載のカラーフィルタ。
【請求項３】
前記第２の分光成分に対応する画素は、前記画素が配列される平面上の一方の方向を０度として、０度方向、４５度方向、９０度方向、および、１３５度方向のいずれにおいても１画素おきに配置されている
請求項１に記載のカラーフィルタ。
【請求項４】
複数の異なる前記分光成分は、前記第１の分光成分、前記第２の分光成分、および前記第３の分光成分を含む５種類の分光成分であり、
前記第１の分光成分および前記第３の分光成分、並びに、第４の分光成分および第５の分光成分にそれぞれ対応する画素は、前記画素が配列される平面上の配列の一方の方向を０度として、０度方向、４５度方向、９０度方向、または、１３５度方向のいずれかの方向に、前記第２の分光成分に対応する画素と隣接して配置されるとともに、前記第１の分光成分および前記第３の分光成分に対応する画素が、前記第２の分光成分に対応する画素に対して直行する方向に配列され、前記第４の分光成分および前記第５の分光成分に対応する画素が、前記第２の分光成分に対応する画素に対して直行する方向に配列される
請求項１に記載のカラーフィルタ。
【請求項５】
レンズを介して所定のカラーフィルタに入射されて取得された光信号であって、画素ごとに、複数の異なる分光成分のうちのいずれかの分光成分を有する光信号の入力を受け、前記画素ごとの前記光信号を基に、画像データを生成する画像処理装置において、
所定の前記画素における前記光信号に対応する第１の画素値と、前記所定の画素の隣接画素が有する画素値を用いて実行される補間処理により得られる第２の画素値とを基に、前記画像データのコントラスト成分を演算するコントラスト成分演算手段を備え、
前記コントラスト成分演算手段は、前記第１の画素値または前記第２の画素値のうち、
複数の異なる前記分光成分のうち最も周波数の帯域幅が広い第１の分光成分に対応する画素値、
前記レンズにおいて色収差の発生しない周波数近傍の所定の周波数帯域に対応する第２の分光成分に対応する画素値、
または、
前記第１の分光成分に第１の重み係数を乗算した値と、前記第２の分光成分に第２の重み係数を乗算した値との線形和により表される第３の分光成分に対応する画素値を用いた演算処理に基づいて、前記画像データのコントラスト成分を求める
画像処理装置。
【請求項６】
前記コントラスト成分演算手段により演算される前記画像データのコントラスト成分は、前記第２の分光成分に対応する画素値を含む
請求項５に記載の画像処理装置。
【請求項７】
前記第２の分光成分は、緑色に対応する所定範囲の周波数成分である
請求項６に記載の画像処理装置。
【請求項８】
前記コントラスト成分演算手段は、
前記第１の画素値または前記第２の画素値に基づいて、緑色に対応する各画素の画素値を算出する緑色成分算出手段と、
複数の異なる前記分光成分のうち、赤色に対応する所定の周波数成分に対応する画素値と、前記緑色成分算出手段による算出結果とに基づいて、赤色に対応する各画素の画素値を算出する赤色成分算出手段と、
複数の異なる前記分光成分のうち、青色に対応する所定の周波数成分に対応する画素値と、前記緑色成分算出手段による算出結果とに基づいて、青色に対応する各画素の画素値を算出する青色成分算出手段と
を備える
請求項７に記載の画像処理装置。
【請求項９】
前記画像データにおけるそれぞれの画素近辺の模様の方向を推定する模様方向推定手段を更に備え、
前記コントラスト成分演算手段は、前記模様方向検出手段による、それぞれの画素近辺の模様の方向の推定結果に基づいて、前記画像データのコントラスト成分を演算する
請求項５に記載の画像処理装置。
【請求項１０】
前記画素が配列される平面上の配列の一方の方向を０度として、０度方向、４５度方向、９０度方向、および、１３５度方向のそれぞれの方向において模様がある確度を求める模様確度算出手段を更に備え、
前記模様方向検出手段は、前記模様確度算出手段による算出結果に基づいて、前記画像データにおけるそれぞれの画素近辺の模様の方向を推定する
請求項９に記載の画像処理装置。
【請求項１１】
前記模様方向検出手段は、前記模様確度算出手段による算出結果に基づいて、前記画像データにおけるそれぞれの画素近辺の模様の方向は、０度と９０度のうちのいずれに近い可能性が高いか、または、４５度と１３５度のうちのいずれに近い可能性が高いかを求める
請求項１０に記載の画像処理装置。
【請求項１２】
前記第１の分光成分は、少なくとも赤外成分を含む
請求項５に記載の画像処理装置。
【請求項１３】
前記第２の分光成分に対応する画素は、前記画素が配列される平面上の一方の方向を０度として、０度方向、４５度方向、９０度方向、および、１３５度方向のいずれにおいても１画素おきに配置されている
請求項５に記載の画像処理装置。
【請求項１４】
複数の異なる前記分光成分は、前記第１の分光成分、前記第２の分光成分、および前記第３の分光成分を含む５種類の分光成分であり、
前記第１の分光成分および前記第３の分光成分、並びに、第４の分光成分および第５の分光成分にそれぞれ対応する画素は、前記画素が配列される平面上の配列の一方の方向を０度として、０度方向、４５度方向、９０度方向、または、１３５度方向のいずれかの方向に、前記第２の分光成分に対応する画素と隣接して配置されるとともに、前記第１の分光成分および前記第３の分光成分に対応する画素が、前記第２の分光成分に対応する画素に対して直行する方向に配列され、前記第４の分光成分および前記第５の分光成分に対応する画素が、前記第２の分光成分に対応する画素に対して直行する方向に配列される
請求項５に記載の画像処理装置。
【請求項１５】
レンズを介して所定のカラーフィルタに入射されて取得された、複数の異なる分光成分のうちのいずれかの分光成分を有する光信号の入力を受け、画素ごとの前記光信号を基に、画像データを生成する画像処理装置の画像処理方法において、
所定の前記画素における前記光信号に対応する第１の画素値を取得し、
前記所定の画素の隣接画素が有する画素値を用いて補間処理を実行して第２の画素値を取得し、
前記第１の画素値および前記第２の画素値のうち、
複数の異なる前記分光成分のうち最も周波数の帯域幅が広い第１の分光成分に対応する画素値、
前記レンズにおいて色収差の発生しない周波数近傍の所定の周波数帯域に対応する第２の分光成分に対応する画素値、
または、
前記第１の分光成分に第１の重み係数を乗算した値と、前記第２の分光成分に第２の重み係数を乗算した値との線形和により表される第３の分光成分に対応する画素値を用いた演算処理により、前記画像データのコントラスト成分を求める
ステップを含む画像処理方法。
【請求項１６】
レンズを介して所定のカラーフィルタに入射されて取得された、複数の異なる分光成分のうちのいずれかの分光成分を有する光信号の入力を受け、画素ごとの前記光信号を基に、画像データを生成する処理を制御するコンピュータが実行可能なプログラムであって、
所定の前記画素における前記光信号に対応する第１の画素値の取得を制御し、
前記所定の画素の隣接画素が有する画素値を用いて補間処理を実行して第２の画素値を算出し、
前記第１の画素値および前記第２の画素値のうち、
複数の異なる前記分光成分のうち最も周波数の帯域幅が広い第１の分光成分に対応する画素値、
前記レンズにおいて色収差の発生しない周波数近傍の所定の周波数帯域に対応する第２の分光成分に対応する画素値、
または、
前記第１の分光成分に第１の重み係数を乗算した値と、前記第２の分光成分に第２の重み係数を乗算した値との線形和により表される第３の分光成分に対応する画素値を用いた演算処理により、前記画像データのコントラスト成分を求める
ステップを含む処理をコンピュータに実行させるプログラム。
【請求項１７】
請求項１６に記載のプログラムが記録されている記録媒体。
【請求項１８】
画像を撮像する撮像装置において、
レンズを介して入射された光を、所定のカラーフィルタを介することにより複数の異なる分光成分の光信号として画素ごとに取得する光信号取得手段と、
前記光信号取得手段により取得された前記光信号をデジタル信号に変換する変換手段と、
前記変換手段により変換された前記デジタル信号を処理して、全画素において、所定の複数の色成分に対応する画素値が揃った画像データを生成する画像処理手段と
を備え、
前記画像処理手段は、
所定の前記画素における前記光信号に対応する第１の画素値と、前記所定の画素の隣接画素が有する画素値を用いて実行される補間処理により得られる第２の画素値とを基に、前記画像データのコントラスト成分を演算するコントラスト成分演算手段を備え、
前記コントラスト成分演算手段は、前記第１の画素値または前記第２の画素値のうち、
複数の異なる前記分光成分のうち最も周波数の帯域幅が広い第１の分光成分に対応する画素値、
前記レンズにおいて色収差の発生しない周波数近傍の所定の周波数帯域に対応する第２の分光成分に対応する画素値、
または、
前記第１の分光成分に第１の重み係数を乗算した値と、前記第２の分光成分に第２の重み係数を乗算した値との線形和により表される第３の分光成分に対応する画素値を用いた演算処理に基づいて、前記画像データのコントラスト成分を求める
撮像装置。
【請求項１９】
複数の異なる前記分光成分は、前記第１の分光成分、前記第２の分光成分、および前記第３の分光成分を含む５種類の分光成分であり、
前記第１の分光成分および前記第３の分光成分、並びに、第４の分光成分および第５の分光成分にそれぞれ対応する画素は、前記画素が配列される平面上の配列の一方の方向を０度として、０度方向、４５度方向、９０度方向、または、１３５度方向のいずれかの方向に、前記第２の分光成分に対応する画素と隣接して配置されるとともに、前記第１の分光成分および前記第３の分光成分に対応する画素が、前記第２の分光成分に対応する画素に対して直行する方向に配列され、前記第４の分光成分および前記第５の分光成分に対応する画素が、前記第２の分光成分に対応する画素に対して直行する方向に配列される
請求項１８に記載の撮像装置。
【請求項２０】
画像を撮像する撮像装置の撮像方法において、
レンズを介して入射された光を、所定のカラーフィルタを介することにより複数の異なる分光成分の光信号として画素ごとに取得し、
取得された前記光信号をデジタル信号に変換し、
変換された前記デジタル信号から、所定の前記画素における前記光信号に対応する第１の画素値を取得し、
前記所定の画素の隣接画素が有する画素値を用いて補間処理を実行して第２の画素値を取得し、
前記第１の画素値および前記第２の画素値のうち、
複数の異なる前記分光成分のうち最も周波数の帯域幅が広い第１の分光成分に対応する画素値、
前記レンズにおいて色収差の発生しない周波数近傍の所定の周波数帯域に対応する第２の分光成分に対応する画素値、
または、
前記第１の分光成分に第１の重み係数を乗算した値と、前記第２の分光成分に第２の重み係数を乗算した値との線形和により表される第３の分光成分に対応する画素値
を用いた演算処理により、前記画像データのコントラスト成分を求める
ステップを含む撮像方法。
【請求項２１】
画像を撮像する処理を制御するコンピュータが実行可能なプログラムであって、
レンズを介して入射され、所定のカラーフィルタを介することにより複数の異なる分光成分として画素ごとに得られる光信号の取得を制御し、
取得された前記光信号のデジタル信号への変換を制御し、
変換された前記デジタル信号からの、所定の前記画素における前記光信号に対応する第１の画素値の取得を制御し、
前記所定の画素の隣接画素が有する画素値を用いて補間処理を実行して第２の画素値を算出し、
前記第１の画素値および前記第２の画素値のうち、
複数の異なる前記分光成分のうち最も周波数の帯域幅が広い第１の分光成分に対応する画素値、
前記レンズにおいて色収差の発生しない周波数近傍の所定の周波数帯域に対応する第２の分光成分に対応する画素値、
または、
前記第１の分光成分に第１の重み係数を乗算した値と、前記第２の分光成分に第２の重み係数を乗算した値との線形和により表される第３の分光成分に対応する画素値
を用いた演算処理により、前記画像データのコントラスト成分を求める
ステップを含む処理をコンピュータに実行させるプログラム。
【請求項２２】
請求項２１に記載のプログラムが記録されている記録媒体。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００４０
【補正方法】削除
【補正の内容】
【手続補正１０】
【補正対象書類名】明細書
【補正対象項目名】００４１
【補正方法】削除
【補正の内容】
【手続補正１１】
【補正対象書類名】明細書
【補正対象項目名】００４２
【補正方法】削除
【補正の内容】
【手続補正１２】
【補正対象書類名】明細書
【補正対象項目名】００４３
【補正方法】削除
【補正の内容】
【手続補正１３】
【補正対象書類名】明細書
【補正対象項目名】００４４
【補正方法】削除
【補正の内容】
【手続補正１４】
【補正対象書類名】明細書
【補正対象項目名】００４５
【補正方法】削除
【補正の内容】
【手続補正１５】
【補正対象書類名】明細書
【補正対象項目名】００４６
【補正方法】削除
【補正の内容】
【手続補正１６】
【補正対象書類名】明細書
【補正対象項目名】００４７
【補正方法】削除
【補正の内容】
【手続補正１７】
【補正対象書類名】明細書
【補正対象項目名】００４８
【補正方法】削除
【補正の内容】
【手続補正１８】
【補正対象書類名】明細書
【補正対象項目名】００４９
【補正方法】削除
【補正の内容】
【手続補正１９】
【補正対象書類名】明細書
【補正対象項目名】００５０
【補正方法】削除
【補正の内容】
【手続補正２０】
【補正対象書類名】明細書
【補正対象項目名】００５９
【補正方法】削除
【補正の内容】
【手続補正２１】
【補正対象書類名】明細書
【補正対象項目名】００６０
【補正方法】削除
【補正の内容】
【手続補正２２】
【補正対象書類名】明細書
【補正対象項目名】００６１
【補正方法】削除
【補正の内容】
【手続補正２３】
【補正対象書類名】明細書
【補正対象項目名】００６２
【補正方法】削除
【補正の内容】
【手続補正２４】
【補正対象書類名】明細書
【補正対象項目名】００６３
【補正方法】削除
【補正の内容】
【手続補正２５】
【補正対象書類名】明細書
【補正対象項目名】００６４
【補正方法】削除
【補正の内容】
【手続補正２６】
【補正対象書類名】明細書
【補正対象項目名】００６５
【補正方法】削除
【補正の内容】
【手続補正２７】
【補正対象書類名】明細書
【補正対象項目名】００６６
【補正方法】削除
【補正の内容】
【手続補正２８】
【補正対象書類名】明細書
【補正対象項目名】００６７
【補正方法】削除
【補正の内容】
【手続補正２９】
【補正対象書類名】明細書
【補正対象項目名】００６８
【補正方法】削除
【補正の内容】
【手続補正３０】
【補正対象書類名】明細書
【補正対象項目名】００６９
【補正方法】削除
【補正の内容】
【手続補正３１】
【補正対象書類名】明細書
【補正対象項目名】００７０
【補正方法】削除
【補正の内容】
【手続補正３２】
【補正対象書類名】明細書
【補正対象項目名】００７１
【補正方法】削除
【補正の内容】
【手続補正３３】
【補正対象書類名】明細書
【補正対象項目名】００７２
【補正方法】削除
【補正の内容】
【手続補正３４】
【補正対象書類名】明細書
【補正対象項目名】００７３
【補正方法】削除
【補正の内容】
【手続補正３５】
【補正対象書類名】明細書
【補正対象項目名】００７４
【補正方法】削除
【補正の内容】
【手続補正３６】
【補正対象書類名】明細書
【補正対象項目名】００７５
【補正方法】削除
【補正の内容】